(57)【要約】【課題】    熱橋の数量を減少させて、しかも、部品点数を増大させることなく、連続した気密層を得られる屋根部の断熱構造を提供する。【解決手段】  天井部２５と別体で構成された屋根断熱パネル部材５６を、載置することにより、屋根断熱パネル部材５６に設けられた屋根部断熱材５６によって、天井部２５を上方向から覆うように装着する屋根部２６である。  この屋根部断熱材５６の中央部断熱層５６ａ周縁には、略水平方向に、一体となるように延設することにより、天井梁材１８の上端面部１８ａ及び外壁部２８の上端面３０ａを覆う延設断熱部５６ｂを有している。【選択図】図１
2005350889.tif 000002
【特許請求の範囲】
【請求項１】
建物の外壁部を構成する外壁部材の上端面と、略同一高さ位置に設けられる上端面部を
有する複数の梁材を少なくとも、該外壁部材の内側に沿って固着すると共に、前記外壁部
材の上端面及び前記上端面部と、略同一高さ位置に略面一となる上面部を有する天井部を
構成し、前記梁材の上端面部の上側に、該天井部と別体で構成された屋根断熱パネル部材
を、載置することにより、該屋根断熱パネル部材に設けられた屋根部断熱材によって、前
記天井部を上方向から覆うように装着する屋根部を有し、しかも、該屋根部断熱材の周縁
には、略水平方向に、一体となるように延設することにより、前記梁材の上端面部及び外
壁部材の上端面を覆う延設断熱部を有することを特徴とする屋根部の断熱構造。
【請求項２】
該天井部には、前記上面部に、前記梁材間に位置するように天井部断熱材を設けると共
に、前記屋根断熱パネル部材に設けられた前記屋根部断熱材に重ね合わせることにより、
少なくとも、上，下方向に二層の断熱層を形成することを特徴とする請求項１記載の屋根
部の断熱構造。
【請求項３】
前記屋根断熱パネル部材の下面側に、気密シート部材を貼設することにより、該屋根断
熱パネル部材を装着する際に、該気密シート部材を、前記外壁部材の上端面、前記梁材の
上端面部及び前記天井部断熱材の上面部と、前記屋根断熱パネル部材の屋根部断熱材との
間に介在させて、気密層を形成することを特徴とする請求項１又は２記載の屋根部の断熱
構造。
【請求項４】
前記天井部は、ユニット建物を構成する建物ユニットの上部に予め形成されていること
を特徴とする請求項１乃至３のうち何れか一項記載の屋根部の断熱構造。
【発明の詳細な説明】
【技術分野】
【０００１】
この発明は、建物の屋根部に用いられて、特に、断熱、気密性能を向上させることが出
来る屋根部の断熱構造に関するものである。
【背景技術】
【０００２】
従来、図５に示すような屋根パネル部材１を用いた屋根部の断熱構造が、知られている
（例えば、特許文献１，２等参照）。
【０００３】
まず、構成から説明すると、この従来の屋根部の断熱構造では、建物の屋根部に、屋根
勾配に沿って、略平板パネル状の屋根パネル部材１が、設置されている。
【０００４】
この屋根パネル部材１には、前記建物の母屋の上部に装着される複数本の垂木２…が、
一定の間隔を置いて設けられていて、これらの垂木２，２間に発泡樹脂製材料で構成され
た板状の断熱材３，３が、各々介装されている。
【０００５】
そして、この屋根パネル部材１の上面部には、野地板部材４が貼設されて、この野地板
部材４と、前記断熱材３との間に、通気層５が形成されるように構成されている。
【０００６】
また、図６及び図７に示すような他の屋根部の断熱構造も知られている（例えば、特許
文献３等参照）。
【０００７】
このようなものでは、建物ユニット６の４隅の支柱７，７間には、各々屋根梁材８…が
架け渡されて、上面視略ロ字状に開口する天井部９が形成されている。
【０００８】
この天井部９では、対向する一対の前記屋根梁材８，８に、各々係止金具１０，１０が
固着されている。
【０００９】
この係止金具１０は、クランク状に屈曲されていて、平板状の断熱パネル部材１１の左
，右側縁部が、この係止金具１０の受け面部１０ａに係止されることにより、下方から支
持されるように構成されている。
【００１０】
この断熱パネル部材１１は、図６に示すように、略方形状を呈するように接続された周
縁の枠材１１ａ，１１ａ及び１１ｂ，１１ｂのうち、前記枠材１１ａと略平行に一定間隔
をおいて、補強仕切材１１ｃ…が、複数本、設けられている。
【００１１】
また、これらの補強仕切材１１ｃ，１１ｃ間の隔室空間には、グラスウール製の断熱材
１２…が各々介装されている。
【００１２】
これらの断熱材１２…は、図７に示されるように、この断熱パネル部材１１の下面側に
張設されたシート状の断熱材受けシート１３によって、下方から支持されている。
【００１３】
更に、この断熱パネル部材１１の上面部は、板状の上面材１１ｄによって覆われている
。
【００１４】
そして、前記係止金具１０，１０によって、これらの断熱パネル部材１１が吊り下げら
れることにより、気密層を形成する前記断熱材受けシート１３が、前記天井梁材８の上面
部８ａよりも下方に、室内側に突出された状態で支持されている。
【００１５】
更に、前記天井部９では、この断熱材受けシート１３の下方に、パネル状の天井化粧材
１４が、貼設されている。
【００１６】
そして、これらの断熱材受けシート１３及び、天井化粧材１４間に、グラスウール製の
断熱材１５が充填されている。
【００１７】
一方、この断熱パネル部材１１の上面側では、所定の間隔をおいて並設された木桟１６
…を介して、野地板部材１７が貼設されていて、防水シート１９ａを介して、屋根材１９
が装着されている。
【００１８】
また、前記各屋根梁材８，８の上面部８ａ，８ａには、補助断熱材２０ａ，２０ｂ…が
、前記断熱材１２とは、別部材で構成されて、前記野地板部材１７の下方に位置するよう
に載置されている。
【特許文献１】実用新案登録第２６０６６１８号公報（図１）
【特許文献２】特開２００３−１８４２１６号公報（図１）
【特許文献３】特許第３２８０７８１号公報（図１、図２、段落００１２乃至段落００２５）
【発明の開示】
【発明が解決しようとする課題】
【００１９】
しかしながら、図５に示されるような従来の屋根部の断熱構造では、前記垂木２，２又
は、補助仕切材１１ｃ…等、断熱材３，３又は１２，１２等を分割、貫通する熱橋が、多
数存在するので、断熱効率が良好であるとは言い難かった。
【００２０】
また、図６及び図７に示されるような従来の屋根部の断熱構造では、クランク状に屈曲
された前記係止金具１０…が用いられて、前記天井部９内の各屋根梁材８，８間に、埋設
されるように、断熱材１２が設けられている。
【００２１】
このため、気密層を形成する前記断熱材受けシート１３が、前記天井梁材８の上端面部
８ａよりも下方に、室内側に突出された状態となるので、前記断熱パネル部材１１の上面
部を、別途、上面材１１ｄによって覆い、前記気密層等を被覆しなければならなかった。
【００２２】
また、前記各屋根梁材８，８の上端面部８ａ，８ａでは、断熱性能を向上させるため、
前記断熱材１２とは、別部材で構成された補助断熱材２０ａ，２０ｂ…を設けなければな
らず、部品点数が増大して、製造コスト及び製造工程の増大を抑制することが困難であっ
た。
【００２３】
そこで、この発明は、熱橋の数量を減少させて、しかも、部品点数を増大させることな
く、連続した気密層を得られる屋根部の断熱構造を提供することを課題としている。
【課題を解決するための手段】
【００２４】
上記目的を達成するために、本願発明の請求項１記載のものは、建物の外壁部を構成す
る外壁部材の上端面と、略同一高さ位置に設けられる上端面部を有する複数の梁材を少な
くとも、該外壁部材の内側に沿って固着すると共に、前記外壁部材の上端面及び前記上端
面部と、略同一高さ位置に略面一となる上面部を有する天井部を構成し、前記梁材の上端
面部の上側に、該天井部と別体で構成された屋根断熱パネル部材を、載置することにより
、該屋根断熱パネル部材に設けられた屋根部断熱材によって、前記天井部を上方向から覆
うように装着する屋根部を有し、しかも、該屋根部断熱材の周縁には、略水平方向に、一
体となるように延設することにより、前記梁材の上端面部及び外壁部材の上端面を覆う延
設断熱部を有する屋根部の断熱構造を特徴としている。
【００２５】
また、請求項２に記載されたものは、該天井部には、前記上面部に、前記梁材間に位置
するように天井部断熱材を設けると共に、前記屋根断熱パネル部材に設けられた前記屋根
部断熱材に重ね合わせることにより、少なくとも、上，下方向に二層の断熱層を形成する
請求項１記載の屋根部の断熱構造を特徴としている。
【００２６】
そして、請求項３に記載されたものは、前記屋根断熱パネル部材の下面側に、気密シー
ト部材を貼設することにより、該屋根断熱パネル部材を装着する際に、該気密シート部材
を、前記外壁部材の上端面、前記梁材の上端面部及び前記天井部断熱材の上面部と、前記
屋根断熱パネル部材の屋根部断熱材との間に介在させて、気密層を形成する請求項１又は
２記載の屋根部の断熱構造を特徴としている。
【００２７】
更に、請求項４に記載されたものは、前記天井部は、ユニット建物を構成する建物ユニ
ットの上部に予め形成されている請求項１乃至３のうち何れか一項記載の屋根部の断熱構
造を特徴としている。
【発明の効果】
【００２８】
このように構成された請求項１記載のものは、前記天井部と別体で構成された屋根断熱
パネル部材に、屋根部断熱材が設けられていて、前記天井部が、該屋根部断熱材によって
上方向から覆われるように装着されている。
【００２９】
該屋根部断熱材は、前記天井部を構成する天井梁材等と分離された屋根断熱パネル部材
内に、水平方向に略連続して形成できるので、従来のように断熱材を分割、貫通する熱橋
の数量を減少させることができる。
【００３０】
また、前記天井部に断熱層を設けた場合にも、前記天井部が、前記屋根断熱パネル部材
と、別体で設けられているので、熱橋となる部分を減少させることができる。
【００３１】
更に、該屋根部断熱材の周縁に一体となるように、略水平方向に、延設された延設断熱
部によって、前記梁材の上端面部及び外壁部材の上端面が覆われる。
【００３２】
このため、別部材で、前記梁材の上端面部を覆うように断熱材を配設する従来のものに
比して、部品点数の増大及び施工工程の増大を抑制することが出来る。
【００３３】
また、請求項２に記載されたものは、該天井部に設けられた天井部断熱材が、前記上面
部に、前記梁材間に位置するように、設けられている。
【００３４】
このため、前記天井部では、該天井部断熱材の上面部が、前記梁材の上端面部及び外壁
部材の上端面と、略面一となるように構成されて、例えば、シート状の気密シート部材を
張設して、気密層を構成しやすい。
【００３５】
また、前記屋根断熱パネル部材に設けられた前記屋根部断熱材に、前記天井部断熱材が
、重ね合わせられることにより、上，下方向に、少なくとも、二層の断熱層が形成される
。
【００３６】
このため、前記屋根部内の空間高さに加えて、天井部内の空間高さも用いられて、複数
層の断熱層が、上，下方向に積層させられて形成出来る。従って、更に、断熱効率を良好
なものとすることができる。
【００３７】
そして、請求項３に記載されたものは、前記屋根断熱パネル部材が装着される際に、該
屋根断熱パネル部材の下面側に、貼設された気密シート部材が、前記外壁部材の上端面、
前記梁材の上端面部及び前記天井部断熱材の上面部と、前記屋根断熱パネル部材の屋根部
断熱材との間に介在されることによって、気密層が形成される。
【００３８】
このため、従来のように、予め、前記断熱パネル部材の上面部を、別途、上面材によっ
て覆い、前記気密層等を被覆する必要が無くなり、部品点数を減少させて、製造コスト及
び製造工程の増大を抑制することができる。
【００３９】
更に、請求項４に記載されたものは、前記天井部が、ユニット建物を構成する建物ユニ
ットの上部に予め形成されている。
【００４０】
このため、雨仕舞い施工を簡略化して、施工作業性を更に、向上させることが出来る。
【発明を実施するための最良の形態】
【００４１】
次に、図面に基づいて、この発明を実施するための最良の実施の形態の屋根部の断熱構
造を説明する。
【００４２】
なお、前記従来例と同一乃至均等な部分については、同一符号を付して説明する。
【００４３】
図１乃至図４は、この発明の最良の実施の形態の屋根部の断熱構造を示している。
【００４４】
まず、この実施の形態の構成を説明すると、この実施の形態の屋根部の断熱構造では、
図４に示すように、ユニット建物２１が、複数の建物ユニットとしての一階建物ユニット
２２…及び二階建物ユニット２３…とによって、主に構成されている。
【００４５】
この一階建物ユニット２２…及び二階建物ユニット２３…の各天井部２４，２５の上部
には、略平板状の屋根断熱パネル部材２７…を並設して載置する陸屋根形状の屋根部２６
が、装着されている。
【００４６】
このうち、この実施の形態の前記二階建物ユニット２３の天井部２５は、予め前記二階
建物ユニット２３の上部に形成されているもので、図２に示されるように、上面部を、上
面視略ロ字状に開口するように、周縁部に設けられた複数の梁材としての天井梁材１８，
１８…を有している。
【００４７】
これらの天井梁材１８…は、各々金属材料製で、断面略コ字状を呈すると共に、図１に
示されるように、この二階建物ユニット２３…の周縁に設けられた外壁部２８を構成する
外側パネル部材３０の上枠材３０ｂの上端面３０ａと、内側パネル部材２９の上端面２９
ａとの段差部に、一部が配置されている。
【００４８】
そして、これらの一部の天井梁材１８…が、ボルト部材３２及びナット部材３３が用い
られて、断面略Ｌ字状の取付ガイド部材３１を介して、外側パネル部材３０の内側に沿っ
て、締結固定されている。
【００４９】
また、この天井梁材１８は、外側パネル部材３０の上端面３０ａの高さ位置と、上端面
部８ａの高さ位置とを略同一とするように、この段差部の高さ方向段差寸法と略同一の高
さ方向寸法を有して、構成されている。
【００５０】
この実施の形態の前記外壁部２８には、前記外側パネル部材３０と、内側パネル部材２
９とに挟持された断熱材３４，３５からなる外壁部断熱層が形成されている。
【００５１】
また、この外壁部２８の屋外側には、前記外側パネル部材３０の外側面と一定の間隔を
置いて空気層が設けられるように、外装化粧板材３６が貼設されている。
【００５２】
更に、この外壁部２８の屋内側には、前記内側パネル部材３０の内側面と一定の間隔を
置いて空気層が設けられるように、桟木３７を介して内装板材３８…が貼設されている。
【００５３】
そして、この実施の形態の前記天井部２５には、天井部断熱部材としての上側天井部断
熱部材３９と、下側天井部断熱部材４０とが、２層の天井部断熱層を形成するように、敷
設されている。
【００５４】
このうち、前記上側天井部断熱部材３９の上面部３９ａが、前記外側パネル部材３０の
上端面３０ａの高さ位置及び、前記天井梁材１８の上端面部１８ａの高さ位置と略面一と
なるように設定されている。
【００５５】
更に、この実施の形態の天井部２５では、この下側天井部断熱部材４０，４０間に、こ
の下側天井部断熱部材４０の高さと略同一高さ寸法を有して、前記天井梁材１８，１８の
間に架け渡されて、複数の桟木４２…が並設されると共に、これらの各桟木４２…の下面
側４２ａに、図３に示されるように、前記屋内中央のジョイント部に設けられた前記天井
梁材１８，１８の下端面部１８ｂ，１８ｂの下方に、吊木４１を介して、パネル状の天井
化粧材１４が、吊り下げられて、貼設されている。
【００５６】
これらのジョイント部に設けられた前記天井梁材１８，１８の間には、ゴム製の長尺状
シール部材１９ｄが、介装されて、これらのジョイント部における天井梁材１８，１８間
を水密及び気密状態に保持するように構成されている。
【００５７】
また、この実施の形態の前記屋根断熱パネル部材２７…は、前記天井部２５と別体とな
るように予め構成されている。
【００５８】
この屋根断熱パネル部材２７は、主に、流れ方向Ｂに沿って、一定の間隔をおいて並設
される複数の枠材４３…が、軒方向に沿って延設される外枠材４４に、外端縁を直交する
ように、当接させて固定されると共に、これらの枠材４３…と直交するように、複数本の
横桟木４５，４５が、上面視略井桁状に嵌着されて、パネル状を呈する骨格部分が概略形
成されている。
【００５９】
これらの前記枠材４３…の上面側には、高さ寸法を相違させてなる束部材４６…を介し
て、野地板部材４を下方から支持ずる複数の垂木４７が、流れ方向Ｂに沿って延設されて
いると共に、釘受け部材４８…が、流れ方向Ｂに直交する方向に、複数本延設されている
。
【００６０】
そして、前記枠材４３と、各束部材４６…と、前記垂木４７とは、各々固着プレート部
材４９…によって、共に固定されるように構成されている。
【００６１】
そして、前記野地板部材４は、前記各束部材４６…の高さ寸法の相違によって、軒先方
向に向けて傾斜する所定の緩傾斜角度θが与えられるように構成されていて、上面側に貼
設された防水シート１９の外側縁に、前記軒先の外枠桟４４を覆うように設けられるパラ
ペット屋根部材５０が、上下方向で一部重複されるように構成されている。
【００６２】
この実施の形態の防水シート１９ａは、シート本体１９ｂ裏面側に、ガラス不織布層１
９ｃが形成されているものが用いられている。
【００６３】
更に、この実施の形態では、図１に示すように、前記屋根断熱パネル部材２７の軒先部
下部には、前記枠座４３の下面側に、固定プレート部材４９，４９によって、短尺垂木５
１及び下外枠材５２が固定されていると共に、桟木５３，５３を介して、天板部材５４が
、略水平に装着されている。
【００６４】
この天板部材５４の母屋側端縁部５４ａと、前記外装化粧板材３６の上端縁部３６ａと
の間には、水切り部材５５が装着されている。
【００６５】
そして、前記屋根断熱パネル部材２７の枠材４３…及び横桟木４５，４５によって囲ま
れた空間部分には、この屋根断熱パネル部材２７が、前記一，二階建物ユニット２２，２
３に装着された状態で、前記天井部２４，２５を覆う様に、略全面に渡り、グラスウール
によって構成される屋根部断熱材５６が設けられている。
【００６６】
この実施の形態の屋根部断熱材５６は、略中央部に、一層の中央部断熱層５６ａが形成
されていて、前記天井部２５に設けられた二層の上，下側天井部断熱材３９，４０と共に
、重ね合わせられて、上，下方向に三層の断熱層が形成されるように構成されている。
【００６７】
この実施の形態のユニット建物では、図２に示すように、屋根部２６の前記屋根部断熱
材５６によって構成される断熱層が、前記天井部２５の上，下側天井部断熱材３９，４０
によって構成される断熱層と重ね合わせられて、一定の厚みＷを有するように形成されて
いる。
【００６８】
更に、この実施の形態の屋根部断熱材５６では、図１に示すように、この中央部断熱層
５６ａの軒先側周縁には、略水平方向に、一体となるように延設されることにより、前記
天井梁材１８の上端面部１８ａ，１８ａ及び外壁部２８の外側パネル部材３０の上端面３
０ａまで、覆う延設断熱部５６ｂが設けられている。
【００６９】
また、この実施の形態の該屋根部断熱材５６では、図３に示すように、この中央部断熱
層５６ａの棟側周縁には、前記棟側のジョイント部近傍の天井梁材１８の上端面部１８ａ
，１８ａを覆う延設断熱部５６ｃ，５６ｃが設けられている。
【００７０】
この延設断熱部５６ｃ，５６ｃは、前記中央部断熱層５６ａを、棟側略水平方向に、延
設されることにより、一体となるように形成されている。
【００７１】
この実施の形態の屋根部断熱材５６は、前記屋根断熱パネル部材２７の枠材４３…及び
横桟木４５，４５によって囲まれた空間部分に、介装或いは、発泡性樹脂材料からなる断
熱材を用いる場合には、充填された状態で、前記中央部断熱層５６ａと前記延設断熱部５
６ｂ，５６ｃとが、同一の一定の厚みを有する略平板状を呈している。
【００７２】
そして、この屋根断熱パネル部材２７の軒先側端縁部近傍には、略Ｌ字状の取付金具５
７が、前記枠材４３の側面部に固着されて設けられていて、ボルト部材３２及びナット部
材３３によって、前記天井梁材１８の上端面部１８ａに装脱着可能となるように構成され
ている。
【００７３】
更に、この屋根断熱パネル部材２７の棟側端縁部近傍には、略Ｌ字状の長尺取付金具５
８が、前記延設断熱部５６ｃ，５６ｃの近接対向する端縁部の下面側に固着されて設けら
れていて、ボルト部材３２及びナット部材３３によって、前記天井梁材１８の上端面部１
８ａに装脱着可能となるように構成されている。
【００７４】
そして、これらの屋根断熱パネル部材２７の下面側には、気密シート部材６０が貼設さ
れている。
【００７５】
気密シート部材６０は、透湿防水シートなどからなり、水蒸気は通過させるが、水や風
は通さないので、建物としての気密層を形成できるものである。
【００７６】
この気密シート部材６０は、予め屋根断熱パネル部材２７の下面側に貼設されることに
より、前記屋根部断熱材５６を下方から支持すると共に、この屋根断熱パネル部材２７を
、前記一，二階建物ユニット２２，２３に装着する際に、この気密シート部材６０が、前
記天井梁材１８の上端面部１８ａ，１８ａ及び外壁部２８の外側パネル部材３０の上端面
３０ａ及び前記上側天井部断熱材３９の上面部と、前記屋根断熱パネル部材２７の屋根部
断熱材５６との間に介在されて、前記天井部２４，２５の上面部を略全面に渡り、連続し
て覆う気密層６１が形成されるように構成されている。
【００７７】
次に、この実施の形態の屋根部の断熱構造の作用について説明する。
【００７８】
この実施の形態では、工場等で生産する際、前記一，二階建物ユニット２２，２３に、
予め前記上，下側天井部断熱材３９，４０を有する天井部２４，２５を設けて生産すると
共に、これらの一，二階建物ユニット２２，２３とは、別体で、構成された屋根断熱パネ
ル部材２７に、屋根部断熱材５６を設けて、独立して生産することができる。
【００７９】
このため、同時に異なる生産ラインで生産することも出来、生産効率が良好である。
【００８０】
また、施工現場まで、前記一，二階建物ユニット２２，２３と、この屋根断熱パネル部
材２７とを個別に搬送することが出来る。
【００８１】
この屋根断熱パネル部材２７には、予め前記気密シート部材６０が、この屋根断熱パネ
ル部材２７の下面側に貼設されることにより、前記屋根部断熱材５６が下方から支持され
るように構成されている。
【００８２】
このため、施工現場に搬送する前の工場生産の段階で、この屋根断熱パネル部材２７の
枠材４３…，横桟木４５，４５及び前記気密シート部材６０によって囲まれた空間部分が
、略閉塞されて、この空間に、全面に渡り、グラスウール等によって構成される屋根部断
熱材５６を、介装或いは、発泡性樹脂材料からなる断熱材を用いる場合には、充填するこ
とができる。
【００８３】
そして、施工現場では、前記一，二階建物ユニット２２，２３の上面部に、前記各屋根
断熱パネル部材２７…が、載置されて装着される。
【００８４】
この際、軒先側端縁部近傍では、図１に示すように、前記枠材４３の側面部に固着され
て設けられた前記略Ｌ字状の取付金具５７が、前記ボルト部材３２及びナット部材３３が
用いられて、前記天井梁材１８の上端面部１８ａに固定されると共に、棟側のジョイント
部近傍では、図３に示すように、前記略Ｌ字状の長尺取付金具５８，５８が、ボルト部材
３２及びナット部材３３を用いて、前記天井梁材１８，１８の上端面部１８ａ，１８ａに
固着されて、固定される。
【００８５】
このため、図２に示すように、この屋根断熱パネル部材２７に設けられた前記屋根部断
熱材５６によって、前記一，二階建物ユニット２２，２３の天井部２４，２５が、上方向
から覆われるように装着される。
【００８６】
この屋根部断熱材５６は、前記一，二階建物ユニット２２，２３の天井部２４，２５を
構成する天井梁材１８…等と分離された屋根断熱パネル部材２７内に、水平方向に略連続
して形成できるので、従来のように断熱材が、分割、貫通される箇所が少なく、熱橋の数
量を減少させることができる。
【００８７】
また、この実施の形態では、前記天井部２４，２５に、上，下側天井部断熱部材３９，
４０によって形成される断熱層が設けられている。
【００８８】
この天井部２５内の断熱層では、前記複数の桟木４２…の高さ方向寸法が、前記下側天
井部断熱部材４０の高さと略同一高さ寸法を有して構成されているので、この下側天井部
断熱部材４０の上側に敷設される前記上側天井部断熱部材３９が、水平方向に略連続して
形成できる。
【００８９】
このため、従来のように、天井部２４，２５内でも、断熱材が、分割、貫通される箇所
が少なく、熱橋の数量を減少させることができる。
【００９０】
また、前記天井部２４，２５が、前記屋根断熱パネル部材２７と、別体で設けられてい
て、前記桟木４２…の上面側が、前記屋根断熱パネル部材２７と直接、接触する箇所が無
い。従って、この点においても、熱橋となる部分を減少させることができる。
【００９１】
更に、この屋根部断熱材５６の周縁に一体となるように、略水平方向に、延設された延
設断熱部５６ｂ，５６ｃによって、前記天井梁材１８の上端面部１８ａ及び外壁部２８の
外側パネル部材３０の上端面３０ａまで、覆われる。
【００９２】
このため、別部材で、前記天井梁材１８の上端面部１８ａを覆うように、別途、図７に
示されるような補助断熱材２０ａ，２０ｂ等を配設する従来のものに比して、部品点数の
増大及び施工工程の増大を抑制することが出来る。
【００９３】
また、この天井部２６に設けられた上，下側天井部断熱材３９，４０が、前記上面部に
、前記天井梁材１８，１８間に位置するように、設けられている。
【００９４】
このため、前記天井部２６では、このうち、上側天井部断熱材３９の上面部が、前記天
井梁材１８の上端面部１８ａ，１８ａ及び外壁部２８の外側パネル部材３０の上端面３０
ａと、略面一となるように構成される。
【００９５】
従って、シート状の前記気密シート部材６０が、これらの上端面部１８ａ，１８ａ及び
上端面３０ａに当接されて、略平面状に張設されるので、気密層６１を構成しやすい。
【００９６】
また、前記屋根断熱パネル部材２７に設けられた前記屋根部断熱材５６の断熱層に、前
記二層の上，下側天井部断熱材３９，４０が、重ね合わせられることにより、上，下方向
に、三層の断熱層が形成される。
【００９７】
このため、前記屋根部２６内の空間高さに加えて、天井部２４，２５内の空間高さも用
いられて、三層の断熱層が、上，下方向に積層させられて、一定の厚みＷを有するように
形成出来る。従って、更に、断熱効率を良好なものとすることができる。
【００９８】
そして、前記屋根断熱パネル部材２７，２７が、施工現場で、前記一，二階建物ユニッ
ト２２，２３が装着される際に、この屋根断熱パネル部材２７の下面側に、貼設された気
密シート部材６０が、前記天井梁材１８の上端面部１８ａ，１８ａ及び外壁部２８の外側
パネル部材３０の上端面３０ａと、前記屋根断熱パネル部材２７の屋根部断熱材５６との
間に介在されることによって、気密層６１が形成される。
【００９９】
このため、従来の図７に示すように、予め、前記断熱パネル部材１１の上面部を、別途
、上面材１１ｄによって覆い、前記気密層等を被覆する必要が無くなり、部品点数を減少
させて、製造コスト及び製造工程の増大を抑制することができる。
【０１００】
しかも、この実施の形態では、前記一，二階建物ユニット２２，２３の上面部の開口が
、前記上，下側天井部断熱部材３９，４０によって、略閉塞されているので、搬送及び施
工現場での据え付け時に、既に、簡易な雨仕舞いが行われていて、直ちに、前記屋根断熱
パネル部材２７を載置する等、雨仕舞い施工を簡略化して、施工作業性を更に、向上させ
ることが出来る。
【０１０１】
そして、この屋根断熱パネル部材２７の軒先側端縁部近傍に設けられた略Ｌ字状の取付
金具５７及び棟側端縁部近傍に設けられた略Ｌ字状の長尺取付金具５８を用いて、前記ボ
ルト部材３２及びナット部材３３によって、前記天井梁材１８の上端面部１８ａから装脱
着可能となるように構成されている。
【０１０２】
このように、前記天井部２４，２５及び屋根部２６が、独立しているため、これらの天
井部２４，２５及び屋根部２６の各々が相互に影響を与えることなく、容易に、改修や、
設計上の仕様変更を行うことができる。
【０１０３】
以上、図面を参照して、本発明の実施の形態を詳述してきたが、具体的な構成は、この
実施の形態に限らず、本発明の要旨を逸脱しない程度の設計的変更は、本発明に含まれる
。
【０１０４】
即ち、前記実施の形態では、前記天井部２４、２５内の断熱層を、前記上，下側天井部
断熱部材３９，４０によって、二層に形成されているが、特にこれに限らず、単層或いは
、三層以上の複数層としてもよい。
【０１０５】
また、前記屋根断熱パネル部材２７内の断熱層を、前記屋根断熱材５６によって一層で
構成しているが、二層以上の複数層としても、前記天井部２４又は２５を上方向から覆う
ように装着されるものであるならばよい。
【０１０６】
更に、この実施の形態では、建物として、一，二階建物ユニット２２，２３によって主
に構成されるユニット建物２１を用いて説明してきたが、例えば、木造在来工法や、ツー
バイフォー工法等、他の工法を用いるプレバブ建物等、どのような建物であってもよい。
【０１０７】
また、建物の形状、前記屋根断熱パネル部材２７…の数量、及び前記上，下側天井部断
熱部材３９，４０及び屋根部断熱材５６の材質が、特に限定されるものではない。
【図面の簡単な説明】
【０１０８】
【図１】この発明の実施の形態の屋根部の断熱構造で、要部の構成を説明する軒先近傍の拡大断面図である。
【図２】この発明の実施の形態の屋根部の断熱構造で、図４中Ａ−Ａ線に沿った位置での断面図である。
【図３】この発明の実施の形態の屋根部の断熱構造で、要部の構成を説明するジョイント部近傍の拡大断面図である。
【図４】実施の形態の実施例１の屋根部の断熱構造で、断熱構造を適用した建物の外観の一例を示す斜視図である。
【図５】一従来例の屋根部の断熱構造で、屋根パネル部材の一部断面斜視図である。
【図６】他の従来例の屋根部の断熱構造で、建物ユニットに断熱パネル部材を装着する様子を説明する分解斜視図である。
【図７】他の従来例の屋根部の断熱構造で、要部の構成を説明する軒先近傍の縦断面図である。
【符号の説明】
【０１０９】
１８              天井梁材（梁材）
１８ａ            上端面部
２２，２３        一，二階建物ユニット（建物ユニット）
２４，２５        天井部
２６              屋根部
２７              屋根断熱パネル部材
２８              外壁部（外壁部材）
３０ａ            上端面
３９，４０        上，下側天井部断熱部材
５６              屋根部断熱材
５６ｂ，５６ｃ    延設断熱部
６０              気密シート部材
６１              気密層
【図１】
2005350889.tif 000003
【図２】
2005350889.tif 000004
【図３】
2005350889.tif 000005
【図４】
2005350889.tif 000006
【図５】
2005350889.tif 000007
【図６】
2005350889.tif 000008
【図７】
2005350889.tif 000009